Podtech/llm-jp-corpus-v4-ja_patent huggingface dataset:
(57)【要約】【課題】従来の体感格闘ゲーム装置は競技者がパンチを打つだけで人形が競技者にパンチを打ち返すものはなかった。そして、子供や老人等が打ち傷や転倒等の怪我を起こさないように安全でなければいけない。【解決手段】力強よそうな人形がパンチを打ってきても競技者の子供や老人等が打ち傷や転倒等の怪我を起こさないように人形のアーム部分をスポンジ等の柔らかくて軽い素材を使い、アームは突っ張らないように少しの力を加えるだけで曲がるように作ることにより、パンチを打たれても安全にゲームを楽しむことができる。【選択図】  図１
2006122536.tif 000002
【特許請求の範囲】
【請求項１】
競技者がパンチを打つとセンサーが感知して人形が避けて、人形にパンチが当たると圧力センサーが感知してゲーム得点を上げ、人形のアームが伸びて競技者にパンチを当てればアームの圧力センサーが感知してゲーム得点が減る。アームは力強い形をしているがスポンジ等の柔らかくて軽い素材で構成されアームは少しの力を加えるだけで曲がり、子供や老人等が打ち傷や転倒等の怪我を起こさないように安全に楽しめる体感格闘ゲーム装置。
【発明の詳細な説明】
【技術分野】
【０００１】
本発明は、子供や老人等が打ち傷や転倒等の怪我を起こさないように安全に楽しめる体感格闘ゲーム装置に関する。
【背景技術】
【０００２】
従来の体感格闘ゲーム装置においては、標的にパンチを打ちゲーム得点を競ったり、人形を操り人形どうし打ち合ったり、動作認識センサーを付けたグローブを手にはめてテレビゲームの中のキャラクターを操ったり、人体に刺激を与える装置を付けるものがある。
【０００３】
関連する技術においては、ボクサーがボクシングの練習用に使うアームが伸びる練習用装置がある。
【発明の開示】
【発明が解決しようとする課題】
【０００４】
以上に述べた従来のゲーム装置では、競技者の打ったパンチをゲーム装置の人形が避けたり、人形が競技者にパンチを打ち返したりするものはない。そして、ゲームをする子供や老人等が打ち傷や転倒等の怪我を起こさないように安全でなければいけない。
【０００５】
ボクサーがボクシングの練習用に使うアームが伸びるボクシング練習用装置はゲームや遊びに使うものではなく、子供や老人等がゲームや遊びに使うと打ち傷や転倒の恐れがあり大変危険である。
【課題を解決するための手段】
【０００６】
そして、本発明は上記目的を達成するために、競技者のパンチをセンサーが感知して人形が避ける。人形に競技者のパンチが当たれば圧力センサーが感知してゲーム得点が上る。人形のアームが伸びて競技者にパンチが当たればアームの圧力センサーが感知してゲーム得点が下がる。
【０００７】
素手で人形を叩いても手を傷めないように人形を柔らかくして、競技者がゲームをする度に手を保護するためのグローブを嵌める必要を無くし、人形の方に圧力センサーを付けることにより、動作認識センサーを付けたグローブを嵌める必要を無くす。
【０００８】
迫力のあるゲームにする為に人形とアームは力強い形に作る。しかし、子供や老人等が打ち傷や転倒等の怪我を起こしてはいけないのでスポンジ等の柔らかくて軽い素材を使い、アームが競技者を突っ張って転倒させないようにアームが少しの力を加えるだけで曲がるようにする。そして、目の保護にゴーグルを付けるとよい。
【発明の効果】
【０００９】
上記したように本発明は、競技者が人形にパンチを打った時に人形が避けて、人形が競技者にパンチを打ち返しゲーム得点を競い合い、格闘技をしているようにゲームを楽しめる。
【００１０】
人形は力強く見えるがパンチを打たれても子供や老人等が打ち傷や転倒等の怪我を起こさず安全にゲームを楽しむことができる。
【００１１】
ゲームをする度に競技者がグローブを嵌めたり外したりしなくてすみ気軽にゲームを楽しむことができる。
【発明を実施するための最良の形態】
【００１２】
以下、本発明の実施の形態を図１に基づいて説明する。
【００１３】
図１においては、人形（１）とアーム（２）は子供や老人等が打ち傷や転倒等の怪我を起こさないようにスポンジ等の柔らかくて軽い素材で作り、アーム（２）は突っ張らないように少しの力を加えるだけで曲がるようにする。
【００１４】
迫力のあるゲームにする為に人形（１）とアーム（２）は力強い形に作りパンチの当たる場所に圧力センサー（３）（４）（５）を付け、可動装置（６）（７）（８）と制御装置（９）で人形（１）を自動コントロールする。
【産業上の利用可能性】
【００１５】
上述の発明は、人形がパンチを打っても子供や老人等が打ち傷や転倒等の怪我を起こさないように安全な体感格闘ゲーム装置に利用可能である。
【図面の簡単な説明】
【００１６】
【図１】本発明の体感格闘ゲーム装置の実施形態を示す側面図である。
【図２】体感格闘ゲーム装置の正面図である。
【符号の説明】
【００１７】
１    人形
２    アーム
３と４と５  圧力センサー
６と７と８  可動装置
９    制御装置
１０  固定台
【図１】
2006122536.tif 000003
【図２】
2006122536.tif 000004
(57)【要約】【課題】従来の指輪やブレスレットや腕時計やネックレスは、硬めの素材を使っていたので、皮下脂肪のような感触を表現できなかった。【解決手段】装飾品の輪やバンドにゲル材を使い、皮下脂肪のような感触を表現することが出来る指輪やブレスレットや腕時計やネックレスが作れる。【選択図】  図１
2006122538.tif 000002
【特許請求の範囲】
【請求項１】
ゲル材で出来た皮下脂肪のような感触である軟質の輪やバンドの装飾品。
【発明の詳細な説明】
【技術分野】
【０００１】
本発明は、感触を楽しむ為のゲル材で出来た軟質の輪やバンドの装飾品に関する。
【背景技術】
【０００２】
従来の指輪やブレスレットや腕時計やネックレスにおいては、輪やバンドの部分に金属類や皮やプラスチック類や合成樹脂やシリコンやゴム等の素材を使っていたものがある。
【発明の開示】
【発明が解決しようとする課題】
【０００３】
以上に述べた従来の指輪やブレスレットや腕時計やネックレスは、皮下脂肪のような感触を表現することは出来なかった。
【課題を解決するための手段】
【０００４】
そして、本発明は上記目的を達成するために、装飾品の輪やバンドの部分にゲル材を使い、皮下脂肪のような感触を表現することが出来る指輪やブレスレットや腕時計やネックレスである。繊維質でこれを補強すると強度を増すことが出来る。
【発明の効果】
【０００５】
上記したように本発明の指輪やブレスレットや腕時計やネックレスは、皮下脂肪のような感触を表現することができ、人体や周りのものにも馴染み易くなる。
【発明を実施するための最良の形態】
【０００６】
以下、本発明の実施の形態を図１に基づいて説明する。
【０００７】
図１においては、繊維質（２）で補強したゲル材の軟質の輪（１）に宝物留め具（３）を付ける。
【産業上の利用可能性】
【０００８】
上述の発明は、感触を楽しむ為の軟質の指輪やブレスレットや腕時計やネックレスの装飾品として利用可能である。
【図面の簡単な説明】
【０００９】
【図１】本発明の実施形態を示す装飾品の側面図である。
【図２】同装飾品の正面図である。
【符号の説明】
【００１０】
１  軟質の輪
２  繊維質
３  宝物留め具
【図１】
2006122538.tif 000003
【図２】
2006122538.tif 000004
(57)【要約】      （修正有）【課題】熟練の必要がない、また茹で時間を短縮する麺茹で装置を提供する。【解決手段】第１に、始動ボタンＯＮにて麺茹でを開始する。第２に上部ゲート２を開き、待機する。第３に水バルブ５を開き、約１．０ｌ〜１．５ｌの水を注入する。注入終了後、水バルブ５を閉じる。第４にスチームバルブ６を開き、水の沸騰を待つ。第５に水の沸騰後、麺を投入口８より投入する。第６に昇圧、昇温開始ボタンＯＮにて上部ゲート２を閉じ、圧力ゲージ７の圧力が０．０１ＭＰａ〜０．１５ＭＰａになる迄、加圧する。第７に加圧完了後、スチームバルブ６を閉じ、水バルブ５を開き冷却する。第８に約９０℃〜９５℃冷却後、水バルブ５を閉じ、圧抜きバルブ４を開き、圧力を抜く。第９に上部ゲート２、下部ゲート３を開き、麺を取り出す。下部ゲート３間により自動で麺が落下する。【選択図】図１
2006122599.tif 000002
【特許請求の範囲】
【請求項１】
一人前の麺を茹で上げる手段において、麺の投入、取出まで自動化し、生スチームを用い、容器内圧をあげ、沸点を上昇させ最短時間で茹で上げる事を特徴とする装置。
【請求項２】
請求項１の装置において、一連の工程をタイマーにて任意に設定し、だれでも均等な麺茹でが出来る制御方法。
【発明の詳細な説明】
【技術分野】
【０００１】この発明は生麺等の茹で上げを自動化する装置に関する。
【背景技術】
【０００２】従来の麺の茹で上げは沸騰したお湯の中に麺を入れ更に沸騰させ茹で上がり具合を２〜３本取り出し試食して確認している。【０００３】しかしながら、茹で上がりを毎回人の感覚にて確認する為、熟練を必要とし最適な茹で上がりの均一化が難しいという欠点があった。【０００４】また常圧では沸点は１００℃までであり、茹で上がりまでの時間の大幅な短縮はできなかった。
【開発の開示】
【発明が解決しようとする課題】
【０００５】解決しようとする問題点は最適な茹で上がりに熟練を必要とする点である。
【０００６】又、茹で上がる迄に時間を要す点である。
【課題を解決する手段】
【０００７】本発明は麺の茹で上げにおいて、一連の工程をスチームを用い、適切な茹で上げを設定出来ることを主要な特徴とする。
【発明の効果】
【０００８】本発明の麺茹で装置は、一人前の麺茹で工程を最適に再現する事が出来る利点がある。
【０００９】生スチームにより、内圧を昇げ、沸点を１００度以上と出来る為、短時間で茹で上がる利点がある。
【発明を実施するための最良の形態】
【００１０】一人前の麺茹で工程を最適に、短時間で行うという目的を実現した。
【実施例１】
【００１１】図１は、本発明装置の１実施例の装置図である。１の圧力容器の上側に２の上部ゲート、下側に３の下部ゲートが取り付けられている。圧力容器の側面には、４の圧抜きバルブ、５の水バルブ、６のスチームバルブが取り付けられている。また、圧抜きバルブと圧力容器の間には７の圧力ゲージが取り付けられている。麺は８の投入口より投入する。【００１２】上部にゲート２、下部ゲート３は電動式、バルブ４〜６は電磁式にて開閉し、初期状態は全て閉の状態である。【００１３】第１に、始動ボタンＯＮにて麺茹でを開始する。第２に上部ゲート２を開き、待機する。    第３に水バルブ５を開き、約１．０ｌ〜１．５ｌの水を注入する。注入終了後、水バルブ５を閉じる。第４にスチームバルブ６を開き、水の沸騰を待つ。第５に水の沸騰後、麺を投入口８より投入する。第６に昇圧、昇温開始ボタンＯＮにて上部ゲート２を閉じ、圧力ゲージ７の圧力が０．０１ＭＰａ〜０．１５ＭＰａになる迄、加圧する。第７に加圧完了後、スチームバルブ６を閉じ、水バルブ５を開き冷却する。第８に約９０℃〜９５℃に冷却後、水バルブ５を閉じ、圧抜きバルブ４を開き、圧力を抜く。第９に上部ゲート２、下部ゲート３を開き、麺を取り出す。下部ゲート３間により自動で麺が落下する。
【図面の簡単な説明】
【００１４】
【図１】麺茹で装置の実施方法を示した説明図である。（実施例１）
【符号の説明】
【００１５】      １  圧力容器
２  上部ゲート
３  下部ゲート
４  圧抜きバルブ
５  水バルブ
６  スチームバルブ
７  圧力ゲージ
８  麺投入口
【図１】
2006122599.tif 000003
(57)【要約】      （修正有）【課題】従来の各メーカーのバインデイングはネジを締める事を目的としているが、多くのスノーボーダーはよりスタイリッシュ又は個性にこだわる人々が多いので、各自の個性に合ったネジを提供する。【解決手段】この個性の無いネジにアクセサリーを付けることにより多くのスノーボーダー達に足元のおしゃれを楽しんでもらう事ができる。【選択図】図２
2006122598.tif 000002
【特許請求の範囲】
【請求項１】
スノーボードの板に取り付けるバインディングの一部品（ハイバック）の角度調整（固定）に使うネジに純正で付いているネジを外して、ネジ穴に合った装飾ネジを作成し、取り付けよりスタイリッシュに見せられる装飾を施したネジの作成。
【請求項２】
色々な物にネジを取り付けて製作し、請求項１記載のハイバックをスタイリッシュに見せる事を目的とした装飾を施したネジである。
【発明の詳細な説明】
【技術分野】
【０００１】  本発明は、スノーボードの更なる普及を図った装飾ネジに関する。（背景技術）【０００２】  もとのハイバックには、角度調整を固定するネジが付いている。  以下、図１、により某メーカのネジを例に説明する。  （発明が解決しようとする課題）  １はネジを締める際に必要なプラスチック製のスマートな部品で、ネジを締めたのちに１をたたむ事により目立たないようにするネジでした。【０００３】  以上に述べた従来のネジは、格メーカー目立たないようにできている。  （例えば、図２を参照）  （問題を解決する手段）  図１の１の部品を取り除き、又は直径３ミリの２を作成し、図２の１ようなアクセサリーを２と接続して、装飾を施したネジで締め付け、装飾部分を目立つようにする。【０００４】  そして、本発明はスノーボーダーの足元にワンポイント加え、よりスタイリッシュに見せる事を目的とした装飾ネジの作成。
【図面の簡単な説明】
【図１】格バインディングメーカーが使用している代表的なネジＡの部分でネジを締め、のちに折りたたんでしまう部品の側面図
【図２】ネジを締めた後にＡを、折畳んだ状態のネジの側面図
【図１】
2006122598.tif 000003
【図２】
2006122598.tif 000004
(57)【要約】      （修正有）【課題】磁石を使ったデザイン性と創造性に優れた玩具及びインテリア用品の提供。【解決手段】ひとつのリングは４個の分割片の集合体で、一分割片は円柱を円周の１／４の寸法に分割された構成物で、それぞれの分割片の両方の小口部分に並列に磁石が埋め込まれており、Ｓ極とＮ極の吸着力で密着し円形のリングをなし、一つのリングの４カ所の吸着面は磁力の範囲内で吸着しつつも回転するので円形に組み上げる以外に直線的に繋げて波状の形状を形づくったり、立体的な形にも変化する。【選択図】図２
2006122622.tif 000002
【特許請求の範囲】
【請求項１】
均等に４分割されている断面が円形で成る円弧片の各々の両端面内に永久磁石を埋め込み、４つの該円弧片の端面を互いに接触させる時に円形リングとなる極性の異なる磁性により接触面を固定させる玩具及びインテリア用品
【発明の詳細な説明】
【技術分野】
【０００１】本発明は磁石を用いた玩具及びインテリア用品に関するものである
【背景技術】
【０００２】従来の磁石を用いた玩具及びインテリア用品には連結車両、ブロック積み木、砂鉄を利用したお絵描きボード、ペーパーホルダー、ドアチャイム、ドアストッパー、ペンホルダー、マグネットクリップ、靴べら、フック、魚釣りゲーム、パズル、囲碁、将棋、麻雀、オセロ、チェス、野球盤、知育玩具等がある
【発明の開示】
【発明が解決しようとする課題】
【０００３】上記の商品類における磁石の利用方法は、磁石の持つ磁性を利用して単純に吸着させることで完結するものが多く、磁石の持つ磁力の動きの面白さ、可能性をダイレクトに表現したものはなかった
【課題を解決しようとする手段】
【０００４】一つのリングは円柱を円弧の１／４の寸法になるように加工された４分割片の集合体で、１分割片がリングの中心から放射線状にのびる直線により９０度の角度で分割されたまったく同じ形状の４片が、それぞれ両端の断面に埋め込まれた磁石の対極する磁性により引き合いくっついて一つのリングを形づくっている玩具でありインテリア用品
【発明の効果】
【０００５】課題を解決するに十分な固有の効果を有するものであり、きわめて使いやすく丈夫で上質のものである
【発明を実施するための最良の形態】
【０００６】図１はリング状に一体化した本発明の断面図である。図２は平面図であり、Ａ．Ｂ．Ｃ．Ｄ．それぞれが円柱を円弧の１／４の寸法になるように加工された１分割片４個が磁力によって吸着した状態になっている。Ａの双方の小口部分に磁石が埋め込まれており、１ａは４ｂとの接着面をＳ極にし、１ｂは２ａとの接着面をＮ極としてある。Ａ．Ｂ．Ｃ．Ｄはすべておなじ構造で、それぞれの接着面は磁石のＳ極とＮ極の引き合う力で接着しひとつのリング状をなしている。図３は１分割片の側面図である。図４は１分割片の断面図でｃは図の左側をＳ極として埋め込まれた磁石、ｄは図の下部をＮ極として埋め込まれた磁石である。本発明は４分割片を磁石により吸着させひとつの円形のリング状としたもので部材の断面は円であるが断面の形状は三角などの多角形や左右非対称形でも可能であるうえ分割片そのものを直線的にしたり曲線のＲを変えることで円以外の多角形や直線部分と曲線部分の融合した複雑な形状を形づくることができる。本発明の製作に関してはプラスチックや陶器、ゴム、ウレタン、スポンジ等の化学製品を使用した一体成型が大量生産をするうえで簡単であるが手に取って使用したりインテリア用品として室内に飾ることを考えると木製で無垢材を使用することが望ましい。
【産業上の利用可能性】
【０００７】幼児教育用の知育玩具として磁石の特性を知る為に利用することが可能であり肢体不自由者のリハビリ用品としても使用可能である。またインテリア用品としては自由に形を変えられる置物として使用でき、施設等の待合室の時間つぶし用の備品兼玩具ともなる。磁石が内蔵されているので接着できる金属と併用すればメモクリップとしても利用可能である。
【図面の簡単な説明】
【０００８】
【図１】リングを示した断面図である
【図２】リングを示した平面図である
【図３】リング分割片を示した側面図である
【図４】リング分割片を示した断面図である
【符号の説明】
【０００９】Ａは分割片
Ｂは分割片
Ｃは分割片
Ｄは分割片
１ａは磁石
１ｂは磁石
２ａは磁石
２ｂは磁石
３ａは磁石
３ｂは磁石
４ａは磁石
４ｂは磁石
ａは磁石
ｂは磁石
ｃは磁石
ｄは磁石
【図１】
2006122622.tif 000003
【図２】
2006122622.tif 000004
【図３】
2006122622.tif 000005
【図４】
2006122622.tif 000006
(57)【要約】      （修正有）【課題】回胴式遊技機のゲーム用コインの実投入枚数と、実払出が正常になされたかを目視にて確認する。【解決手段】計数や誤差を目視監視可能にし、コインを計数するセンサーに誤計数が生じても、その後正常な遊技がなされていた場合に自動的に誤差を正常に修正し、コインの計数演算機能に一カウントづつ発光ダイオード等目視可能なものにてカウントの存在を可能にし、誤差の範囲を容易且つ正確にするとともに、不正遊技などの犯罪を抑制する。【選択図】  図２
2006122629.tif 000002
【特許請求の範囲】
【請求項１】
回胴式遊技機のゲーム用コインの実投入枚数と、遊技機そのものが投入されたと判断した枚数信号の比較及び、実払出枚数と、遊技機そのものが払い出したと判断した枚数信号の比較をし、実払いコイン及び、実投入コイン枚数と遊技機そのものが払出や、投入されたと判断されたコイン枚数信号の誤差を監視する装置であり、コインを計数するセンサーに誤計数が生じても、その後正常な遊技がなされていた場合に自動的に誤差を正常に修正し、正確な計数を行う装置。
【請求項２】
コインの計数演算機能に一カウントづつ数値の存在を持たせ、発光ダイオードなど光又は色別標示及び、数字などの文字盤にて目視確認可能にし、更に投入枚数と実払出枚数の比較を容易にした。
【発明の詳細な説明】
【技術分野】
【０００１】  本発明は、遊技場に設置されている回胴式遊技機の不正遊技監視装置に関する。
【背景分野】
【０００２】  従来よりユーザーの要望としては大であったが、遊技機に別付けによるセンサーでは誤計数が原因で正確な計数が不可能に近いものであった。
【０００３】  誤計数を生じさせる原因としてコインの汚れや、遊技機のコイン払出ホッパーの故障やコイン詰まりなどの物理的トラブルが生じた時、又、コイン投入機器セレクターのコインガイドや流れ落ちるコインの磨耗などの理由により、正規のコイン流通ルートからコインがはみ出すなど、コイン読み取りセンサーが正確に計数不可であった。
【０００４】  遊技中に不当な遊技か正当な遊技かの区別がつかず被害を未然に抑制することが困難であった。
【発明の開示】
【発明が解決しようとする課題】
【０００５】  上記に述べた別付けによるセンサーで生じる誤計数。【０００６】  正当な遊技か不正な遊技かの区別が目視で不可能。【０００７】  この発明は従来、実投入コイン数と投入信号の比較、実払出しコイン数と払出信号との両方の比較を行い不正遊戯をリアルタイムで検知し、不正遊技を発見、抑制することを目的とするものである。
【課題を解決するための手段】
【０００８】  本発明は上記に述べたその強い要望に対し、別付けセンサーの誤計数修正機能を備え、正常か異常かを目視で確認可能にしたものである。【０００９】  目視にて確認可能とするため、コインの計数演算機能に一カウントづつ発光ダイオードなどにコインカウントの存在を持たせることによって、誤差の範囲を容易且つ正確にし、発光ダイオードにより、光が届く距離から確認可能にした。【００１０】  又、センサーの誤計数を克服するため、１ゲーム以内の誤差、すなわちコイン３枚以下の誤差を自動的に修正する機能を設けたもの。
【発明の効果】
【００１１】  本発明により、不正遊技者を抑制し、正当な遊技者に対し、快適に遊技が行えるとともにもに一般大衆娯楽としての遊技愛好者にも最適であり、風営適正化法の犯罪抑制効果も得られる。
【発明の実施するための最良の形態】
【００１２】  本発明の実施の形態を図１〜図５に基づいて説明する。
【００１３】  図においては、１はコイン読み取りセンサーに誤計数が生じた場合自動的に投入枚数と払い出し枚数を同じ位置にし、誤差を修正するための電子回路である。尚、ゲームに支障の無いようインターバルタイム間０．５秒〜４秒の範囲で修正可能とした。この機能により正確な計数が可能となる。
【００１４】  １は、本装置の自動修正電子回路である。
【００１５】  ２は、本装置の全体図である。
【００１６】  ３は、コインカウントの存在をもたせ、発光ダイオードにて目視可能にするための発光ダイオード表示装置である。
【００１７】  ４は、コインカウントの存在を持たせるための電子回路である。
【００１８】  この機能により、誤計数が生じても修正されるので正確な計数が行えることを目視にて可能にし従来の問題を解決したものである。
【図面の簡単な説明】
【００１９】
【図１】  本発明のコインカウント計数誤差を修正する電子回路図。
【図２】  同本装置全体図。
【図３】  同発光ダイオード表示パネル図。
【図４】  同コイン計数カウントに存在を持たせるための電子回路図。
【符号の説明】
【００２０】  １  自動修正電子回路図
２  本装置全体見取り図
３  表示パネル
４  カウント存在電子回路図
【図１】
2006122629.tif 000003
【図２】
2006122629.tif 000004
【図３】
2006122629.tif 000005
【図４】
2006122629.tif 000006
(57)【要約】      （修正有）【課題】パ−クゴルフプレ−時にホ−ルインしたボ−ルを遊戯者がかがむことなく取り出す。【解決手段】２段式収縮パイプの上端に、ベルト掛け付き収縮ウレタンスプリング付き、キ−ホルダ−をネジ付きＯリングで取付け、下端にパ−クゴルフの４本爪のボ−ルホルダ−を取付ける。【選択図】図１
2006122625.tif 000002
【特許請求の範囲】
【請求項１】
１の２段式収縮パイプの上端に、２のベルト掛け付き収縮ウレタンスブリング付きキ−ホルダ−を３のネジ付きＯリングで取付け、下端には４のパ−クゴルフの４本爪のボ−ルホルダ−取付け固定します。
【発明の詳細な説明】
【産業上の利用分野】
【０００１】軽スポ−ツのパ−クゴルフのプレ−中、ホ−ルイン後に玉を取り出す時に使用する物で、スポ−ツに関する分野です。
【背景技術】
【０００２】従来はホ−ルイン後、かがんで素手で取り出すのが技術です。
【考案が解決しようとする課題】
【０００３】ホ−ルイン後、膝を折ったり、かがまずに玉を取り出すのが課題です。
【課題を解決する手段】
【０００４】１，２段式収縮パイプの上端に、２，のベルト掛け付き収縮ウレタンスプリング付き、キ−ホルダ−を３，のネジ付きＯリングで取付け、下端に４，のパ−クゴルフの４本爪のボ−ルホルダ−を取付け固定します。
【作用と実地例】
【０００５】パ−クゴルフプレ−中ホ−ルイン後立ったまま玉を取り出せる作用が有り、膝、腰に掛かる負担を解消する実地例が有ります。
【考案の効果】
【０００６】パ−クゴルフプレ−中ホ−ルイン後立ったまま玉を取り出せる効果が有り膝、腰に掛かる負担を解消する効果が有り、特に年配の人達に効果が有ります。
【図面の簡単な説明】
【図１】１，２段式収縮パイプ  ２，ベルト掛け付き収縮ウレタンスプリング付きキーホルダー  ３，ネジ付きＯリング  ４，パークゴルフ、４本爪ボールホルダー
【図１】
2006122625.tif 000003
(57)【要約】【課題】ペンダント、イヤリング、ピアス、ブロ−チ等に使用される、宝石を保持する宝石保持具で、宝石の輝きを、最大限引き出す宝石装身具を提供する。【解決手段】クラウンに当接する爪部と、ガ−ドルとパビリオンに接し、クラウンと対面する、パビリオンで宝石を、挟着、固定する特徴で、一体形成された宝石装身具とする。【選択図】  図４
2006122627.tif 000002
【特許請求の範囲】
【請求項１】
テ−ブル及びクラウンと、下側円錐部のパビリオンと、前記クラウンと、前記パビリオンとの間のガ−ドルとを有するファセットカットされた宝石を保持する宝石保持具において、前記クラウンに当接する爪部と、前記ガ−ドルと、前記パビリオン接し、前記クラウンと対面する、前記パビリオンで、挟着支持する特徴とする一体形成された宝石保持具。
【発明の詳細な説明】
【発明の詳細な説明】
【技術分野】
【０００１】本発明はペンダント、イヤリング、ピアス、ブロ−チ等に使用される宝石を保持する宝石装身具に関するものである。
【背景技術】
【０００２】従来、宝石保持具は宝石を保持、固定するため、複数の固定爪、又は宝石のテ−ブル面に固定爪を、かしめ、宝石を固定していた。
【発明が解決をしようとする課題】
【０００３】宝石のカットされたテ−ブル面が爪により隠され、カット面の多くが失われるという問題があった。
【０００４】別紙、図６，図７の宝石取り付け構造（特許第３１８２６８３）は、宝石を支持する支持座１１１は、宝石のキュウレット１１０近傍、当接部１１２の点だけで支持するため、強度を保つには、爪１０２がテ−ブ１０５の中心近くまでいかなければ、宝石を、固定できないと云う問題がある、そのため宝石のカットされたテ−ブル面が十分露呈できないという問題があった。
【０００５】本発明は、これらの欠点を解決し、見栄えの良い宝石装身具を提供するものである。
【課題を解決するための手段】
【０００６】上記課題を解決するため、本発明は、テ−ブル及びクラウンと、下側円錐部のパビリオンと、前記クラウンと、前記パビリオンとの間のガ−ドルとを有するファセットカットされた宝石を保持する宝石保持具において、前記クラウンに当接する爪部と、前記ガ−ドルと、前記パビリオンに接し、前記クラウンと対面する、前記パビリオンで、挟着、支持し、爪部のクラウンと、当接するパビリオンで、宝石を挟着、支持する特殊構造で、一体形成された宝石保持具。
【０００７】この保持具は、一体形成で、両サイド凹凸がなく研磨が容易におこなえる、又  宝石の固定は、クラウン部、パビリオン部の面と面ではさむように固定され、固定後は弾性的押圧により宝石が外れることを防止する。
【０００８】このようにすることにより、確実に宝石を、固定し外れることがなく、宝石のカットされた面を十分露呈させることができる
【発明を実施するための最良の形態】
【０００９】本発明は、ペンダント、イヤリング、ピアス、ブロ−チ等に使用されるダイヤモンド、その他ファセットカットされた貴石、半貴石を保持、固定する宝石保持具及び宝石装身具に関するものである。以下、本発明の実施の形態について図面を使用して説明をする。【００１０】図１、２、３、４、保持具に宝石を保持させた宝石装身具の一実施の形態を示し、（Ａ）は正面図、（Ｂ）は側面図の拡大図である。【００１１】本実施の形態の宝石保持具、図１、２、３、４、は宝石１を保持するものであるが、ここでの宝石１、とはテ−ブル１０、クラウン１１、ガ−ドル１２、キュウレット１３、パビリオンファセット１４、を備えたものである。【００１２】本実施の形態の宝石保持具、図１、２、３、４、は、クラウン１１に当接する爪部２、と、ガ−ドル１２とパビリオンファセット１４、に当接する当接５と、キュ−レット回避部１６と、クラウン１１と対面する、当接１５を備えて、クラウン１１と、当接１５で、宝石を挟着し固定している。【００１３】接触回避部１６は、図２に示すように、貫通穴にし、宝石１のキュウレットの回避部とする。又吊孔１７は上側に、紐、鎖等を通すための孔である、又ピアス、イヤリング、ブロ−チ等には不要のため、孔をあけないこともある。【００１４】本発明の宝石保持具はクラウン当接部１１、ガ−ドル当接部１２、当接部５とクラウンと対面する、当接部１５は一体形成されたもので、切削加工、鋳造加工その他の成形加工した後、必要により表面処理加工、熱処理加工等を施しされる。【００１５】以上の構造を有する本実施の形態の宝石保持具は、次のように作用する。本実施の形態の宝石保持具図１、２、３、４、はクラウン１１、に当接する爪部２、とガードル１２とパビリオンファセット１４、に当接する当接部５、キュウレット回避部１６とパビリオンファセット１４、に当接する当接部１５で形成され、爪部２、と対面する、当接部１５、で挟着、固定しているため、宝石の動き、緩みがなく、確実に宝石を保持し外れることがない。【００１６】更に、この宝石保持具は、爪がテ−ブル当接していないため、宝石１を多く露呈させることが出来、見栄えがよく、また制作面においても、一体形成で凹凸がなく加工が容易におこなえる。
【発明の効果】
【００１７】本発明によれば、宝石のカットされた面が、十分露呈でき、加工が容易で、宝石を確実に固定できる。これにより質の良い宝石装身具を提供できる。
【図面の簡単な説明】
【図１】本発明に係る宝石保持具に宝石を保持させた宝石装身具の一実施の形態を示した正面宝石装身具の図である。
【図４】宝保持具に宝石を保持させた宝石装身具の一実施の形態を示した断面図である。
【図２】図１．４の実施の形態を示し、（Ｂ）は下面図である。
【図３】図１．４の実施の形態を示し、（Ｂ）は上面図である。
【図５】従来技術の宝石装身具の、断面図である。
【図６】従来技術による、宝石を取り付けた構造を示した正面図である。
【符号の説明】
１、宝石                          １０、テ−ブル
２、爪部                          １１、クラウン
３、爪の先端                      １２、ガ−ドル
４、宝石保持具                    １３、キュウレット
５、当接部                        １４、パビリオンファセット
６、切頭円錐部                    １５、当接部
７、下側円錐部                    １６、回避部
８、宝石                          １７、吊孔
【図１】
2006122627.tif 000003
【図２】
2006122627.tif 000004
【図３】
2006122627.tif 000005
【図４】
2006122627.tif 000006
【図５】
2006122627.tif 000007
【図６】
2006122627.tif 000008
(57)【要約】【課題】使用者に対する噴射温水の付着を防止できる便座を提供する。【解決手段】便器使用時に着座する部分である便座本体において、内部空隙部の前部内面を下方に伸延したガード部を設けたことを特徴とする。【選択図】      図３
2006122630.tif 000002
【特許請求の範囲】
【請求項１】
便器使用時に着座する部分である便座本体において、内部空隙部の前部内面を下方に伸延したガード部を設けたことを特徴とする温水洗浄便器用衛生便座。
【発明の詳細な説明】
【技術分野】
【０００１】  この発明は、温水洗浄式の便器に用いる便座に関する。
【背景技術】
【０００２】  従来より、温水洗浄式の便器が多用されており、その便器には使用者が着座するための便座が必須であるが、合成樹脂にて成形された単なる略板状の環状物が大半であり、本発明にて示すように、洗浄時における人体への温水飛沫付着を防止する機能を備えた便座は現在のところ見当たらない。
【発明の開示】
【発明が解決しようとする課題】
【０００３】  温水洗浄式の便器は近年その普及が顕著である。これは便器内外に温水噴射機能を有するノズルおよび関連装置を設け、便器使用時にはこのノズルから温水が噴射され、局部の洗浄を行うものである。噴射された温水は局部に当たって洗浄するが、このとき温水が局部およびその近傍に当たった後、飛散してその大半は便器内に落下するが、その一部は便器外に落下することがある。
つまり、便器本体上部に便座および蓋が開閉可能に設けられ、便器使用時には蓋を開け、さらに便座を下ろして便器上面に載せ、この便座に腰掛けて使用するものであるが、便座断面は湾曲し、かつ便座下面にはクッション体が位置している。そのため便器本体と便座下面との間には若干の間隙が存在する。しかるに噴射された温水の一部はこの間隙から便器外に飛び出すことがあり、着座している人体や衣服に当たって汚すという問題がある。
本発明は、以上のような従来からの温水洗浄便器に用いる便座に関わる課題を解決するために発明されたもので、便座形状を一部変更することにより、温水飛沫が人体に付着することなく衛生的に使用することのできる新規かつ有用なる温水便器用の便座を提供することを目的としたものである。
【課題を解決するための手段】
【０００４】  課題を解決する手段として本発明は、便座の内部にガード部を設けてその主要部を構成した。すなわち、便器使用時に着座する部分である便座本体において、内部空隙部の前部内面を下方に伸延したガード部を設ける。
本発明は以上の構成よりなる温水洗浄便器用衛生便座である。
【発明の効果】
【０００５】  本発明によれば、便座の内部空隙前部内面を所定寸法だけ下方に伸延しているので、温水便器使用時において噴射された温水の便器外への漏洩を防いで、人体や衣服への付着を防止して清潔を保つことのできる有用なる物品を提供することができる。
【発明を実施するための最良の形態】
【０００６】  以下、本発明の実施形態について説明する。
図において、１は便座本体で、合成樹脂にて平面視略半楕円形状に形成された略板状体で、その中央には略楕円形の空隙部２が形成される。この便座本体端部は、便器本体に付設される温水噴射制御機構に開閉可能に取り付けられる。この便座本体は断面視湾曲形状で、その下面適所には略直方体形状ゴム製のクッション体３が固着される。４はガード部で、便座本体の空隙部前部内面を下方に伸延した部分であり、便座本体と一体に形成される。
本発明を使用するには、まず蓋を上げて便座本体を便器上面に位置させ、局部を露出させて便座に腰掛け、用を済ませる。次ぎに、温水洗浄装置を操作して温水を噴射させる。
温水噴射のためのノズル部分は便器内所定個所に移動し、噴射が始まる。
この噴射温水は人体の局部に当たって洗浄され、洗浄後の温水の大半は便器内に落下する。【０００７】  しかし、前記したように便座下面と便器上面には若干の隙間があるため、この隙間から温水が飛び出すことがあり、従来の便座形状ではこれを防止する機能を有さない。
しかるに本発明では既述のように、便座中央の空隙部前部内面を所定寸法にて下方に伸延した形状のガード部を有しているため、外部に飛散・漏洩しようとする温水はこのガード部に当たるため、使用者の人体や衣服を汚すことなく、清潔に使用することができる。
なお、実施形態で示したガード部形状は一例であり、他の形状のガード部としてもよい。
以上のごとく、本発明により衛生的に使用可能なる温水洗浄便器用の便座を得ることができる。
【図面の簡単な説明】
【０００８】
【図１】  本発明の取り付け状態説明図
【図２】  本発明の要部平面図
【図３】  Ａ−Ａ拡大断面図
【図４】  Ｂ−Ｂ拡大断面図
【符号の説明】
【０００９】    １  便座本体
２  空隙部
３  クッション体
４  ガード部
【図１】
2006122630.tif 000003
【図２】
2006122630.tif 000004
【図３】
2006122630.tif 000005
【図４】
2006122630.tif 000006
(57)【要約】【課題】  瓶内を洗浄するとき、瓶の形状を問わず、短時間に簡単な方法で、しかも効果的なクサリを付けた台所用の瓶洗いブラシを提供する。【解決手段】  多数の毛様体を結束してブラシを形成し、連結具を介してクサリを連結し、ブラシ全体を瓶の中に入れて瓶を強く振り、ブラシが全内面に接触して擦るように転動させて汚れを除去することを特徴とするクサリを付けた台所用の瓶洗いブラシ【選択図】  図１
2006122623.tif 000002
【特許請求の範囲】
【請求項１】
毛様体を結束してブラシを形成し、クサリを連結して瓶の中に全体を投入し、瓶を強く振って、ブラシが内面全体に接触して擦するように転動させ、汚れを除去する方法を特徴とする台所用の瓶洗いブラシ。
【発明の詳細な説明】
【技術分野】
【０００１】  本発明は、瓶内を洗浄するとき、瓶の形状を問わず、簡単で効果的に洗浄できるクサリを付けた台所用の瓶洗いブラシに関するものである。
【背景技術】
【０００２】  従来、瓶内を洗浄するブラシには、直線的棒状の握り柄が設けていて、その柄を持ちブラシを瓶内に挿入して内面を擦り洗浄していた。
又、ブラシにクサリを連結させるなど、瓶洗いブラシの発明は知られている。
【特許文献１】実公昭５５−０４００１４
【特許文献２】実全昭５５−０６３９６２
【特許文献３】実全昭５５−１１４２３６
【特許文献４】実全昭５６−０１３９２５
【特許文献５】特開２００２−０１７４４７
【特許文献６】特開２００３−０４７５２７
【特許文献７】特開２００４−１５４５０５
【発明の開示】
【発明が解決しようとする課題】
【０００３】    そのために次のような問題点があった。
洗浄する瓶の口径が小さい、又は、瓶がブラシの全長より長い場合など、ブラシが内面に接触不可能な部分が多くあり、完全に汚れを除去することが出来ず、不潔になる事が多い。
本発明は以上の問題点を解決しょうとするものである。
【課題を解決するための手】
【０００４】  多数の毛様体を結束してブラシを形成し、そのブラシにクサリを連結し、瓶の中に全体を投入して瓶を強く振り、ブラシが内面全体に接触して擦するように転動させ汚れを除去する。以上を特徴とするクサリを付けた台所用の瓶洗いブラシである。
【発明の効果】
【０００５】  本発明は、瓶の形状を問わず、内面の汚れを簡単な方法で効果的に除去することが出来て、清潔な状態で再利用できる。
【発明を実施するための最良の形態】
【０００６】  以下、本発明の実施の形態を説明する。
（イ）多数の毛様体を紐状体（１）で結束してブラシ（３）を形成する。
（ロ）紐状体（１）に取り付けた２種類の連結具（Ａ）（Ｂ）を介してクサリ（２）を連結する。
（ハ）必要に応じ、前記同様の２種類の連結具を介して、前記同様のブラシを複数個を連結する。
本発明は以上の構成によりなっている。
本発明を使用するときは、上記のクサリとブラシ全体を、少量の水と共に瓶（６）内に投入し、瓶（６）の開口部を蓋し上下左右に強く振り動かし、ブラシ（３）が内面全体に接触し擦るように転動させ付着した汚れを除去する。目的が終われば瓶（６）の開口部を下に向けて上下に振れば、クサリ（２）は自重により排水と共に垂れ出る、これを引っ張ればブラシ（３）は容易に引き出せる。
従って、瓶の形状を問わず、短時間に簡単な方法で、しかも効果的であるため常に手軽く洗浄し、清潔な状態での再利用を可能にする。又クサリ自体は屈曲が自在であるから小さくまとめられ、破損の心配が無く、収納や運送の際は場所をとらない。又、ブラシ（３）に連結しているクサリ（２）の代わりに、クサリ（２）と同様に屈曲が自在で自重を有する紐状体を連結しても、洗浄方法及び効果は同様である。
【図面の簡単な説明】
【０００７】
【図１】本発明の正面図
【図２】本発明のブラシとクサリの連結部の拡大断面図
【図３】本発明の使用図
【図４】本発明の使用図
【符号の説明】
【８】    １  紐状体
２  クサリ
３  ブラシ
４  連結具Ａ
５  連結具Ｂ
６  瓶
【図１】
2006122623.tif 000003
【図２】
2006122623.tif 000004
【図３】
2006122623.tif 000005
【図４】
2006122623.tif 000006
(57)【要約】【目的】本発明は２人でしか打てなかった囲碁を３人、４人でも打てるようにした【構成】それぞれ色の違う碁石Ａ，Ｂ，Ｃ，Ｄを設け碁盤Ｅ（１９路盤）の外に色の違う碁盤（２６盤）Ｆを設ける【選択図】図１
2006122619.tif 000002
【特許請求の範囲】
【請求項１】
碁盤Ｅ（１９路盤）の延長で碁盤Ｆを作り色を変え（緑色）、１つの碁盤で１９路盤と２６路盤を使えるようにした。
【請求項２】
従来のＡ（黒）、Ｂ（白）の碁石に加えＣ（赤），Ｄ（青）の碁石を使い３人、４人でも囲碁が打てる方法を編み出した。
【発明の詳細な説明】
【発明の詳細な説明】
【産業上の利用分野】
【０００１】この発明は２人でしか打てなかった囲碁を３人、４人でも打てるようにしたものである。
【背景技術】
【０００２】碁石に黒、白以外の色を使うという考えはあるがデザインのみであり多人数でプレーするという方法はない、また碁盤の数を増減させるという考えはあるが色を変え１つの碁盤で２種類の使い方をするという方法はない。
【発明が解決しようとする課題】
【０００３】囲碁は２人でしか出来ない
【課題を解決する為の手段】
【０００４】Ｂ、Ｃの碁石を追加して碁盤の色を変え１９路盤と２６路盤の碁盤が使えるようにした
【作用】
【０００５】従来通り２人で囲碁が打てるし３、４人でも打てる。またマージャンの点数棒を使って点数を競うことも出来る。
【実施例】
【０００６】以下、本発明の実施例について説明する。
（イ）碁盤いＥ（１９路）の外側は（２０路から２６路）は色が緑色になっている
（ロ）Ａ（黒）Ｂ（白）の碁石にＣ（赤）Ｄ（青）の碁石を加える
（ハ）マージャンの点数棒を使う
本発明は以上の構成よりなっている
Ａ，Ｂ，Ｃ，Ｄの碁石を使って碁盤Ｅに碁盤Ｆを加えた２６路盤を使えば４人で囲碁が出来る、Ｄの碁石を使わなければ３人で囲碁が出来る。Ａ，Ｂの碁石と碁盤Ｅ（１９路盤）を使えば２人で囲碁が出来る
【発明の効果】
【０００７】本発明を使う事によって２人で囲碁が打てるし３人、４人でも囲碁が打て点数を競う事も出来る
【図面の簡単な説明】
【図１】本発明の平面図
【符号の説明】
Ａ  碁石の黒
Ｂ  碁石の白
Ｃ  碁石の赤
Ｄ  碁石の青
Ｅ  碁盤の１９路盤
Ｆ  碁盤のマス目２０路から２６路まで
【図１】
2006122619.tif 000003
(57)【要約】【課題】あやつり糸の上下運動により、その先に接続された車軸に蓄えられる回転エネルギーによって、従来の玩具では実現できなかった動物の動きをより忠実に表現する。【解決手段】実施の一例として、あやつり糸１を上方に引き、その先に接続された車３を貫いた車軸部ゴム４に回転エネルギーを蓄積する。次にあやつり糸１を下方に戻すと、本体２はこのエネルギーによって振動しながら前方に勢いよく移動する。手であやつり糸を操作するので、本体は定期的に操作者の方向へ戻る。【選択図】図２
2006122620.tif 000002
【特許請求の範囲】
【請求項１】
あやつり糸の上下運動によって蓄積された車軸の回転エネルギー、および本体の形状や素材の工夫によって、動物の動きをより忠実に表現する玩具。
【発明の詳細な説明】
【発明の詳細な説明】
【技術分野】
【０００１】  本発明は、動物の動きを表現する玩具に関するものである。
【背景技術】
【０００２】  従来、あやつり糸の先に車を取り付けて動かす玩具があった。
【発明が解決しようとする課題】
【０００３】  従来は、一方向への単純で弱い動きをするものであり、動物本来の動きが忠実に表現できないという欠点があった。
【課題を解決するための手段】
【０００４】  あやつり糸１の先に車３を接続し、その車軸部にゴム４を貫通させる。ゴムの両端は針金などの剛体５に固定する。この剛体を覆うように動物をかたどった軟体の本体２を装着する。ここで、ゴム４は車３の中心軸をごくわずかに外した位置を貫くようにする。
本発明は、以上のような構成よりなる玩具である。
【発明を実施するための最良の形態】
【０００５】  あやつり糸１を上方に引き車３を動物が後方に動く向きに回転させることで、車軸部のゴム４にエネルギーを蓄える。この時、あやつり糸１が本体２を貫く穴を前方上部に設けることで、本体後部が接地し、車は地面に空回りに近い状態になり、後方への移動は限定的となる。次に、あやつり糸１を下方に戻すと、本体２はゴム４のエネルギーによって前方に勢いよく移動する。
【発明の効果】
【０００６】  本発明による方法では次の効果がでる。
（イ）エネルギーの蓄積ができるので、力強い動きが実現できる。
（ロ）車軸のわずかなずれにより、移動で振動が発生し、軟体の本体、特に尾がゆれ、本物に近い愛らしい動きをする。
（ハ）本体は定期的に操作者の方向へ戻り、「なつき」を表現する。
（ニ）複数の玩具を同時に使用すれば、動物の「追いかけっこ」「じゃれ合い」といった高度な動物の生態を表現できる。
【図面の簡単な説明】
【図１】本発明の一例を示す斜視図である。
【図２】本発明の一例を示す透視図である。
【符号の説明】
１はあやつり糸である。
２は本体である。
３は車である。
４は輪ゴムである。
５は針金である。
【図１】
2006122620.tif 000003
【図２】
2006122620.tif 000004
(57)【要約】      （修正有）【課題】かくれた部分を設けたパズルにすること。【解決手段】バンドとバンドの交差部分を凹形と  形の嵌め込みにしてかくれた部分を設ける。こうすることによってかくれた部分を設けることができます。【選択図】図１
2006122617.tif 000002
【特許請求の範囲】
【請求項１】
バンドによって四角形の環を作り、図１のようにバンドを交差させて鎖状にし、鎖のようにした時、図２のようにそれも一つの環となるようにしたパズル。
【発明の詳細な説明】
【発明の詳細な説明】
【技術分野】
【００１】  パズルに属するものです。
【背景技術】
【００２】  最も近いパズルは、ジグソーパズルとリングパズルです。新しい発想によって出来たパズルなので、従来のすぐれたパズルと併存できると思います。
【発明が解決しようとする課題】
【００３】  ジグソーパズルもリングパズルも眼で見えるものは一見して全部見えるものでかくれた部分を設けてないのでかくれた部分を設けたパズルにすること。
【課題を解決するための手段】
【００４】  交差する部分、図１のａ、ｂ、ｃ、ｄ、ｅ、ｆ、ｇ、ｈを設けることによって、一見して眼に見えるものではないようにしました。
【発明を実施するための最良の形態】
【００５】  バンドの交差する部分は凹形と凹形の嵌め込みにします。図１の（イ）は表から見たもので、裏から見た（ロ）と９０°位相が違います。その違う点が交差した見えない部分を示しています。そして嵌め込みをはずしてひろげると、図２の（ハ）のようにそれも一つの環になるようにします。
【発明の効果】
【００６】  四角いバンドの環がつながっていることでリングパズルにも近いし、又交差している嵌め込みをはずしていくと図３に示すプレート、Ｘ、Ｙ、Ｚ、Ｓ、Ｔ、Ｕ、Ｖ、Ｗがバラバラになり、絵合わせの要素になることができパズルとして成立することができます。又、図３のように環の数も増やしていくことができます。
【図面の簡単な説明】
【図１】（イ）は表から見た図、（ロ）は裏から見た図
【図２】（ハ）は交差部分をはずした図、（ニ）はプレートの位置を示した図
【図３】環を増した図
【符号の説明】
ａは交差部
ｂは交差部
ｃは交差部
ｄは交差部
ｅは交差部
ｆは交差部
ｇは交差部
ｈは交差部
Ｘはプレート部
Ｙはプレート部
Ｚはプレート部
Ｓはプレート部
Ｔはプレート部
Ｕはプレート部
Ｖはプレート部
Ｗはプレート部
【図１】
2006122617.tif 000003
【図２】
2006122617.tif 000004
【図３】
2006122617.tif 000005
(57)【要約】【課題】野菜などの食材を擦り下ろす時の労力を軽減し、安全性を高め、清潔感を保ち、食材による手のかぶれ防止を可能にする回転式おろし器を提供する。【解決手段】全体を、擦りおろす野菜類をおさめるための円筒形の筒（１）と、擦りおろされた野菜類を下から受けるための箱型受け箱（４）とにより形成し、前記円筒形の筒（１）の円形側面のうち、一方の側面には、内側に剣山（８）を設けた底蓋（３）を螺着し、他方の側面には、その中心にネジ棒（６）を介して、内側の端部には円錐形おろし金板（７）、他端にはネジ棒ハンドル（５）を設けたネジ棒蓋（２）を螺着して成ることを特徴とする回転式おろし器。【選択図】図１
2006122618.tif 000002
【特許請求の範囲】
【請求項１】
全体を、擦りおろす野菜類をおさめるための円筒形の筒と、擦りおろされた野菜類を下から受けるための箱型受け箱とにより形成し、前記円筒形の筒の円形側面のうち、一方の側面には、内側に剣山を設けた底蓋を螺着し、他方の側面には、その中心にネジ棒を介して、内側の端部には円錐形おろし金板、他端にはネジ棒ハンドルを設けたネジ棒蓋を螺着して成ることを特徴とする回転式おろし器。
【発明の詳細な説明】
【技術分野】
【０００１】  本発明は、野菜などの食材を擦りおろす時の労力を軽減し、安全性を高め、清潔感を保ち、食材による手のかぶれ防止を可能にする、回転式おろし器に関するものである。
【背景技術】
【０００２】  従来、おろし金による作業は、手に持った食材とおろし金との間の摩擦力だけで擦りおろしており、手にかかる負担が大きく、手に怪我をする危険性もあり、安全性に欠け、又、手が常時食材に触れており、不潔であり、食材による手のかぶれも発生した。
【発明の開示】
【発明が解決しようとする課題】
【０００３】  そのために、次のような問題点があった。
手にかかる負担が大きく、危険性も伴い、不潔感もあり、食材で手がかぶれることも少なくなく、そのためごく少数の人だけが利用していた。
【課題を解決するための手段】
【０００４】  全体を、擦りおろす野菜類をおさめるための円筒形の筒と、擦りおろされた野菜類を下から受けるための箱型受け箱とにより形成し、前記円筒形の筒の円形側面のうち、一方の側面には、内側に剣山を設けた底蓋を螺着し、他方の側面には、その中心にネジ棒を介して内側の端部には円錐形おろし金板、他端にはネジ棒ハンドルを設けたネジ棒蓋を螺着する。
以上を特徴とする回転式おろし器である。
【発明の効果】
【０００６】  本発明は、擦りおろすという摩擦力だけによる手への負担を軽減し、安全性を高め、清潔感を保ち、食材による手のかぶれ防止を可能にする。したがってたくさんの人が利用できる。
【発明を実施するための最良の形態】
【０００７】  以下、本発明の実施例について説明する。
（イ）透明または半透明の円筒形の筒（１）の一方の円形側面の開口に、底蓋（３）を螺着する。
（ロ）前記円筒形の筒（１）の他方の円形側面の開口には、ネジ棒蓋（２）の中央部に設けられたネジ溝穴（１０）に通されているネジ棒（６）を介して一端に円錐形おろし金板（７）を装着する。他端には（ネジ棒蓋（２）の外側に）ネジ棒ハンドル（５）を形成する。
（ハ）前記円筒形の筒（１）を横に寝かせた状態で底面となる位置に、多数の孔をあける。この孔は、該筒内で擦りおろされた野菜類を下側に形成される受け箱（４）内へ落とす役割を担う。
（ニ）図２の分解斜視図に示すように、寝かせた状態の前記筒（１）の底面形状に当接しやすいように、その形状に沿って上部開口を形成した受け箱（４）を形成する。
（ホ）ネジ棒蓋（２）の中心に、挿通されているネジ棒（６）は、ネジが切ってあるため、外側のネジ棒ハンドル（５）上に形成されたつまみをまわすことで、筒内の野菜類を円錐形おろし金板（７）が押圧しながら、より筒内の底蓋側へとねじ込まれ進んでいくこととなる。
本発明は、以上の構成よりなっている。
本発明を使用する時は、円筒形の筒（１）の一方開口に底蓋（３）を螺着し、円筒形の筒（１）の他方の開口から適当なサイズ、量の食材をおさめ、円錐形おろし金板（７）を内側方向にして、ネジ棒蓋（２）をこの他方の開口から螺着する。この時、ネジ棒（６）はネジ棒蓋（２）からネジ棒ハンドル（５）寄りに突き出た状態にあり、箱型で上部開口とした受け箱（４）に円筒形の筒（１）を寝かせるように載置する。ネジ棒ハンドル（５）を回転させると、円筒形の筒（１）の中におさめられた食材は、底蓋（３）の内面剣山（７）によって空転せず、圧縮、圧力をかけながら円錐形おろし金板（７）によって、回転移動しながら食材は擦りおろされる。擦りおろされた食材は、円筒形の筒（１）の下部の孔（９）を介して受け箱（４）に落下収集される。
【図面の簡単な説明】
【０００８】
【図１】  本発明の実施例を示す斜視図
【図２】  本発明の実施例を示す分解斜視図
【図３】  本発明の使用状態を示す側面一部断面図
【図４】  本発明の使用状態を示す斜視図
【符号の説明】
【０００９】  １    円筒形の筒
２    ネジ棒蓋
３    底蓋
４    受け箱
５    ネジ棒ハンドル
６    ネジ棒
７    円錐形おろし金板
８    剣山
９    孔
１０    ネジ溝穴
【図１】
2006122618.tif 000003
【図２】
2006122618.tif 000004
【図３】
2006122618.tif 000005
【図４】
2006122618.tif 000006